(57)【特許請求の範囲】
【請求項１】
水下側が屋根材付き太陽光発電パネルに、
下面側が排水板に組み合わされる水上側被覆材の取付構造であって、
前記屋根材付き太陽光発電パネルは、
山部と谷部と軒棟方向に連通する空間とが形成された屋根材と、
水上側に水上嵌合部が形成された枠体とを有しており、
前記排水板は、
山部と谷部と軒棟方向に連通する空間とを有しており、
前記屋根材の水上側に重ねられ、
前記水上側被覆材は、 
水下側に下段の屋根材付き太陽光発電パネルの水上嵌合部に嵌合する嵌合部が形成され、
該嵌合部から水上側へ延出された被覆面が形成され、   
該被覆面から延出された面戸部が形成され、
前記排水板の山部に固定する止着部を有しており、 
排水板の山部と山部との間の面戸部は水上側端部に向けて下げられており、
該面戸部の水上側端部と排水板谷部との間には排水隙間部が形成されるように、
水上側被覆材が排水板の山部に固定された
水上側被覆材の取付構造。
【発明の詳細な説明】
【技術分野】
【０００１】
本発明は、屋根材付き太陽光発電パネルに組み合わせることができる水上側被覆材に関するものである。
【背景技術】
【０００２】
従来技術について、図５から図７Ａ及び図７Ｂにより説明する。
【０００３】
図５は、出願人が特願２０１１−５０７４８６として出願した「屋根材付き太陽光発電パネル及び屋根材付き軒先材」における図５をもとにしたものである。この出願においては、最も上段に取り付ける屋根材付き太陽光発電パネルにおける水上側の納めが課題であった。とくに、豪雪地帯で屋根材付き太陽光発電パネルを設置する場合、最も上段に取り付けた屋根材付き太陽光発電パネルの水上側に雪がたまる。そのため、屋根材付き太陽光発電パネルに積雪荷重による流れ方向への力がかかる上、その雪が凍結することによるすがもれの恐れがあった。
【０００４】
この図５の技術に対し、図６、又は図７Ａ及び図７Ｂに示すような技術の応用が考えられる。図６、図７Ａ及び図７Ｂは、太陽光発電パネルを屋根上に固定したところに雨水を浸入させないようにする、水切りの技術である。
【０００５】
図６は、波形金属板１２に太陽電池パネル１８を取り付けた取付において、水切り金属板１０で波形金属板１２の上流側開口部１２ａを遮蔽する技術である。
【０００６】
図７Ａ及び図７Ｂは、太陽電池パネル付き屋根構造において、モジュール用水切部材２６に係合片部２６ｄが形成されていて、そこが、横フレーム２０の係合部２３に係合され、固着板部２６ａで固着する技術である。
【先行技術文献】
【特許文献】
【０００７】
【特許文献１】特許第４４７８２４０号
【特許文献２】特許第３４９９７２５号
【発明の概要】
【発明が解決しようとする課題】
【０００８】
図５に、図６の技術を応用した場合、力板２０を取り付け、そこに水切り金属板１０を係止することになる。そのため、施工に手間がかかる。また、水切り金属板１０が、波形金属板１２の上流側開口部１２ａを遮蔽してしまうので、屋根材付き太陽光発電パネルの効果である排水・換気が阻害されてしまう。
【０００９】
図５に、図７Ａ及び図７Ｂの技術を応用した場合、モジュール用水切部材２６のほかに、縦フレーム用水切り部材３２などが必要である。このように、部材数が多くなり、また、雨仕舞を考慮してそれらを複雑な組合せとする必要があるので、施工に手間がかかってしまう。さらに、図７Ａ及び図７Ｂの技術は、係合片部２６ｄと係合部２３との間に間隔があり、固着板部２６ａから止着具を打ち込んで、モジュール用水切部材を固定しておかないと、それらを係合できない。これは、係合片部２６ｄの下に、縦フレーム用水切部材３２を圧着させることが目的であるためである。
【００１０】
このほか、図５に、図７Ａ及び図７Ｂの技術を応用した場合でも、図６の技術を応用した場合と同様、屋根材付き太陽光発電パネルの水上側を、モジュール用水切り部材２６や縦フレーム用水切り部材３２などで遮蔽してしまうので、排水・換気が阻害されてしまう。
【課題を解決するための手段】
【００１１】
本願の水上側被覆材は、水下側が屋根材付き太陽光発電パネルに、下面側が排水板に組み合わされるものである。
【００１２】
本願の水上側被覆材に組み合わされる屋根材付き太陽光発電パネルは、山部と谷部と軒棟方向に連通する空間とが形成された屋根材と、水上側に水上嵌合部が形成された枠体とを有している。
【００１３】
本願の水上側被覆材に組み合わされる排水板は、山部と谷部と軒棟方向に連通する空間とを有しており、屋根材の水上側に重ねられる。
【００１４】
本願の水上側被覆材は、下段の屋根材付き太陽光発電パネルの水上嵌合部に嵌合する嵌合部が水下側に形成され、嵌合部から水上側へ延出された被覆面が形成され、被覆面から延出されて排水板の山部と山部との間に折り下げられる面戸部が形成されている。
【００１５】
本願の水上側被覆材は、排水板の山部に固定する止着部を有している。
【００１６】
本願の水上側被覆材が、排水板の山部に固定されたときに、排水板の山部と山部との間に面戸部が折り下げられ、面戸部の水上側の端部と排水板谷部との間には排水隙間部が形成されている。
【発明の効果】
【００１７】
本願の水上側被覆材は、嵌合部を下段の屋根材付き太陽光発電パネルの水上嵌合部に嵌合させて止着部で排水板に固定するだけ、もしくは、あらかじめ止着部で排水板に固定しておいて嵌合部を下段の屋根材付き太陽光発電パネルの水上嵌合部に嵌合させて排水板を屋根上に固定するだけで取り付けられるので、必要な部材が少なくて済み、現場施工の簡素化が図れる。
【００１８】
また、本願の水上側被覆材は、屋根材付き太陽光発電パネルの水上側に積もった雪を、面戸部及び被覆面によって、太陽光発電パネル上（受光面）へ、さらに軒下へと導くことができる。その結果、積雪荷重による流れ方向への力を低減でき、凍結によるすがもれを防ぐことができる。
【００１９】
さらに、本願の水上側被覆材は、面戸部の水上側の端部と排水板の谷部との間に排水隙間部を形成することによって、雪解け水を下段の屋根材付き太陽光発電パネルの軒棟方向に連通する空間を通じて排水することができる。それと同時に、排水隙間部によって、下段の屋根材付き太陽光発電パネルであたためられた空気を換気できるので、太陽光発電パネルの温度上昇を防ぎ、発電効率の低下を抑制できる。
【図面の簡単な説明】
【００２０】
【図１】本発明の水上側被覆材の実施例である。
【図２】本発明の水上側被覆材と組み合わされる排水板の実施例である。
【図３】本発明の水上側被覆材の取り付け例の説明図である。
【図４】本発明の水上側被覆材を応用した排水板付き水上側被覆材の実施例である。
【図５】従来技術の説明図である。
【図６】従来技術の説明図である。
【図７Ａ】従来技術の説明図である。
【図７Ｂ】従来技術の説明図である。
【実施例】
【００２１】
本願の水上側被覆材、それを組み合わせる排水板及び屋根材付き太陽光発電パネルの実施例について、図１から図５により説明する。図１は、本願の水上側被覆材の実施例の説明図である。図２は、本願の水上側被覆材と組み合わされる排水板の実施例の説明図である。図３は、本願の水上側被覆材の取り付け例の説明図である。図４は、本願の水上側被覆材と排水板とを一体化した排水板付き水上側被覆材の実施例の説明図である。図５は、従来技術の説明図であるが、本願の水上側被覆材と組み合わされる屋根材付き太陽光発電パネルの実施例である。
【００２２】
まず、本願の水上側被覆材、それと組み合わせられる屋根材付き太陽光発電パネル及び排水板の実施例について、図１から図３及び図５で説明する。
【００２３】
本願の水上側被覆材１は図３に示すように、水下側が屋根材付き太陽光発電パネルＢと組み合わされるものである。また、本願の水上側被覆材１は、下面側が排水板２と組み合わされるものである。
【００２４】
本願の水上側被覆材１と組み合わされる屋根材付き太陽光発電パネルＢの具体例として、図５のようなものがあげられる。山部５１と谷部５２と軒棟方向に連通する空間とが形成された屋根材５と、水上側に水上嵌合部６１が形成された枠体６とを有している。屋根材５は、山部５１と谷部５２とを交互に形成した波状のものでもよいし、谷部５２を広くした形状又は、谷部５２を狭くした形状でもよい。
【００２５】
排水板２は図２に示すように、山部２１と谷部２２と軒棟方向に連通する空間とを有している。排水板２は、図３のように屋根材５に重ねて組み合わせたときに排水ができれば、山部２１と谷部２２とを交互に形成した波状のものでもよいし、谷部２２を広くした形状又は、谷部２２を狭くした形状でもよい。なお、排水板２として、下段の屋根材付き太陽光発電パネルＢの屋根材５と同じ形状のものを使用するとよい。
【００２６】
排水板２は図３に示すように、下段に取り付けた屋根材付き太陽光発電パネルＢの屋根材５の水上側に重ねられる。図５に示した屋根材付き太陽光発電パネルＢに本願の発明を応用する場合、屋根材付き太陽光発電パネルＢは、屋根材５の水上側に止着部５３を形成しているので、この上に図３に示すように排水板２の水下側を重ねる。重ねることによって、下段の屋根材５の止着部５３を上から覆う状態になるので、下段の屋根材付き太陽光発電パネルＢの取り付けにおける止水処理等が不要になる。
【００２７】
水上側被覆材１は図１及び図４に示すように、水下側に下段の屋根材付き太陽光発電パネルＢの水上嵌合部６１に嵌合する嵌合部１１が形成され、嵌合部１１から水上側へ延出された被覆面１２が形成され、被覆面１２から延出されて排水板２の山部２１と山部２１との間に折り下げられる面戸部１３が形成され、排水板２の山部２１に固定する止着部１４１を有している。図１及び図４の実施例では、排水板２の山部２１に当接する当接面１４が設けられている。そして、当接面１４に止着部１４１を形成している。
【００２８】
嵌合部１１は、下段の屋根材付き太陽光発電パネルＢの水上嵌合部６１に嵌合する形状を形成している。嵌合部１１が下段の水上嵌合部６１と嵌合することによって、本願の水上側被覆材１が上方にはずれないように組み合わされている。たとえば、図３のように、嵌合部１１を下段の水上嵌合部６１と屋根材５との間に差し込むように組み合わせ、下段の水上嵌合部６１が嵌合部１１を上から押さえている状態となるのが望ましい。このような形状の組合せとすることによって、施工しやすく、負圧に強い構造とすることができる。
【００２９】
被覆面１２は、嵌合部１１から水上側へ延出されて排水板２を被覆する。被覆面１２の水下側の端部は、下段の屋根材付き太陽光発電パネルＢの受光面（上面）よりやや高い位置であることが望ましい。そうすることによって、本願の水上側被覆材１から下段の屋根材付き太陽光発電パネルＢの受光面へと、雪をためることなく、導くことができる。もし、被覆面１２の水下側の端部が、下段の屋根材付き太陽光発電パネルＢの受光面よりも低いと、そこに雪がたまる可能性があり、効果を十分に得られないことが考えられる。また、被覆面１２の水下側の端部が、下段の屋根材付き太陽光発電パネルＢの受光面よりも著しく高いと、本願の水上側被覆材１を取り付けた際に、被覆面１２上を雪が滑落するだけの傾斜を形成させる必要があるために水上側被覆材１そのものが大型化してしまったり、意匠性が損なわれたりすることもありうる。
【００３０】
面戸部１３は、被覆面１２から延出されて排水板２の山部２１と山部２１との間に折り下げられる。図３のように、被覆面１２の水上側端縁が排水板２の山部２１に面で当接するように折り曲げて当接面１４を形成し、そこからさらに延出されて排水板２の山部２１と山部２１との間に折り下げられた面戸部１３を形成するとよい。
【００３１】
また、面戸部１３は、山部２１と山部２１との間の断面に合わせた形状にすることによって、下方に折り下げた状態で取り付けやすく、かつ雪が大量に入り込むことを防止する面戸としての役割を果たすようにできる。
【００３２】
止着部１４１は、図３のとおり、排水板２の山部２１に当接する部分である当接面１４に形成する。ただし、排水板２の山部２１に当接する部分である当接面１４すべてに止着部１４１を形成する必要はなく、当接面１４のうち、止着しやすく、また、強度的に適切な箇所に止着部１４１を形成すればよい。
【００３３】
止着部１４１は、たとえば図３のように、被覆面１２から延出して面戸部１３までの間の当接面１４に形成してもよいし、後述する図４のように被覆面１２の下面側に形成した当接面１４に形成してもよい。
【００３４】
排水板２の山部２１に当接する部分を面状にした当接面１４とすることによって、本願の水上側被覆材１を排水板２に載置しても、排水板２を損傷させたり、変形させたりしにくくできる。そのため、当接面１４を形成し、そこを止着部１４１を形成することによって、本願の水上側被覆材１を排水板２に安定した状態で固定することができる。
【００３５】
水上側被覆材１が、排水板２の山部２１に固定されたときに、面戸部１３の水上側の端部と排水板２の谷部２２との間には排水隙間部３が形成されている。この排水隙間部３は、排水・換気が可能であって、面戸部１３が雪が大量に入り込むのを防止することができれば、大きさは問わない。また、面戸部１３の水上側の端部も排水隙間部３の効果を妨げなければいかなる形状であってもよい。
【００３６】
水上側被覆材１の取り付けについて、図３で説明する。まず、下段の屋根材付き太陽光発電パネルＢの屋根材５の水上側に、排水板２の水下側を重ねて固定しておく。
【００３７】
次に、本願の水上側被覆材１を取り付ける。水上側被覆材１の嵌合部１１を屋根上に取り付けた屋根材付き太陽光発電パネルＢの水上嵌合部６１に嵌合して、止着部１４１に止着具４を打ち込んで排水板２の山部２１に止着する。
【００３８】
このように、水上側被覆材１の表面側から排水板２の山部２１へ止着具４を打ち込んで固定する場合は、止着具４としてパッキン付きビスを用いるなど、止着具４を貫通させたことによる水漏れがないようにした方がよい。
【００３９】
また、当接面１４と排水板２の山部２１との間にシーラー材を挟み込む方法も有効である。なお、止着方法については、屋根上に止着した結果、積雪荷重、風荷重に耐えられる程度の強度が確保できれば、止着具４を使わない方法でもよい。
【００４０】
次に、本願の水上側被覆材１と排水板２とを一体化した実施例について、図４で説明する。屋根上への設置に先立ち、排水板２の山部２１の裏面側から止着部１４１へと止着具４を打ち込んで、本願の水上側被覆材１と排水板２とが一体化された排水板付き水上側被覆材Ａとする。このように排水板付き水上側被覆材Ａとすることによって、屋根上での設置作業をさらに簡素化することができる。
【００４１】
この場合、設置作業は、屋根上に取り付けた屋根材付き太陽光発電パネルＢの水上嵌合部６１に、嵌合部１１を嵌合し、排水板２を屋根上に固定するだけである。
【００４２】
また、図４の実施例では、被覆面１２の下面側に止着部１４１を形成しているので、止着具４を打ち込んだ部分が表面に露出しない構造である。そのため、止水処理が不要になり、さらに屋根上での手間を省くことができる。
【００４３】
次に、本願の水上側被覆材１の成形について、図１及び図４で説明する。本願の水上側被覆材１は、図１のように折板加工によって成形してもよいし、図４のように押出成形加工によって成形してもよい。
【００４４】
そのほか、水上側被覆材１は、それ自体の大きさや、組み合わせる屋根材付き太陽光発電パネル、排水板等の形状などによっては、複数の部材に分けて成形し、一体化して水上側被覆材１の形状としてもよい。
【符号の説明】
【００４５】
Ａ      排水板付き水上側被覆材
１      水上側被覆材
１１    嵌合部
１２    被覆面
１３    面戸部
１４    当接面
１４１  止着部
２      排水板
２１    山部
２２    谷部
３      排水隙間部
４      止着具
Ｂ      屋根材付き太陽光発電パネル
５      屋根材
５１    山部
５２    谷部
５３    止着部
６      枠体
６１    水上嵌合部
【図１】
0005899715.tif 000002
【図２】
0005899715.tif 000003
【図３】
0005899715.tif 000004
【図４】
0005899715.tif 000005
【図５】
0005899715.tif 000006
【図６】
0005899715.tif 000007
【図７Ａ】
0005899715.tif 000008
【図７Ｂ】
0005899715.tif 000009